(57)【特許請求の範囲】
【請求項１】
互いに直交するＸ軸方向とＹ軸方向とで規定される水平面を上面に有する床部と、壁及び柱として機能し、互いに直交する壁幅方向及び壁厚方向を有する平板状の壁柱と、を備えた建物であって、
前記壁幅方向を前記Ｘ軸方向に沿わせて配置されるＸ軸壁柱と、
前記壁幅方向を前記Ｙ軸方向に沿わせて配置されるＹ軸壁柱と、
前記Ｙ軸方向に間隔を隔てて配置される一対の前記Ｘ軸壁柱同士の間に架け渡されて接合されるＹ軸梁と、
前記Ｘ軸方向に間隔を隔てて配置される一対の前記Ｙ軸壁柱同士の間に架け渡されて接合されるＸ軸梁と、を備え、
前記Ｘ軸梁及び前記Ｙ軸梁の各小口断面形状は、その梁幅が梁せいよりも大きな扁平形状であるとともに、前記Ｘ軸梁と前記Ｙ軸梁とは剛接合されており、
前記Ｘ軸壁柱、前記Ｙ軸壁柱、前記Ｘ軸梁、及び前記Ｙ軸梁は、木造であることを特徴とする建物。
【請求項２】
請求項１に記載の建物であって、
前記Ｘ軸壁柱及び前記Ｙ軸壁柱は、荷重を支持するための木製の荷重支持層と、前記荷重支持層の外側に該荷重支持層を取り囲むように設けられた燃え止まり層と、前記燃え止まり層の外側に該燃え止まり層を取り囲むように設けられた木製の燃えしろ層と、を有することを特徴とする建物。
【請求項３】
請求項１又は２に記載の建物であって、
前記Ｘ軸壁柱と前記Ｙ軸梁とは剛接合されており、
前記Ｙ軸壁柱と前記Ｘ軸梁とは剛接合されていることを特徴とする建物。
【請求項４】
互いに直交するＸ軸方向とＹ軸方向とで規定される水平面を上面に有する床部と、壁及び柱として機能し、互いに直交する壁幅方向及び壁厚方向を有する平板状の壁柱と、を備えた建物であって、
前記壁幅方向を前記Ｘ軸方向に沿わせて配置されるＸ軸壁柱と、
前記壁幅方向を前記Ｙ軸方向に沿わせて配置されるＹ軸壁柱と、
前記Ｙ軸方向に間隔を隔てて配置される一対の前記Ｘ軸壁柱同士の間に架け渡されて接合されるＹ軸梁と、
前記Ｘ軸方向に間隔を隔てて配置される一対の前記Ｙ軸壁柱同士の間に架け渡されて接合されるＸ軸梁と、を備え、
前記Ｘ軸梁及び前記Ｙ軸梁の各小口断面形状は、その梁幅が梁せいよりも大きな扁平形状であるとともに、前記Ｘ軸梁と前記Ｙ軸梁とは剛接合されており、
前記建物は複数の階を有し、
前記Ｙ軸梁及び前記Ｘ軸梁は、前記建物の階毎にそれぞれ配されており、
前記Ｘ軸壁柱及び前記Ｙ軸壁柱は、それぞれ、前記建物の全階に亘って延在するような高さ寸法に形成されており、
すべての前記Ｘ軸壁柱は、前記建物のすべての階において前記Ｙ軸梁と剛接合されており、
すべての前記Ｙ軸壁柱は、前記建物のすべての階において前記Ｘ軸梁と剛接合されていることを特徴とする建物。
【請求項５】
請求項４に記載の建物であって、
前記Ｘ軸梁及び前記Ｙ軸梁の上方には、前記Ｘ軸梁及び前記Ｙ軸梁との間に間隔を空けて二重床部が設けられ、
前記Ｘ軸梁及び前記Ｙ軸梁と前記二重床部との間には、前記建物用の設備機器を収容する空間が区画形成されていることを特徴とする建物。
【請求項６】
請求項１乃至５の何れかに記載の建物であって、
前記Ｘ軸梁の梁せいと前記Ｙ軸梁の梁せいとは互いに同寸であり、
前記Ｘ軸梁の下面と前記Ｙ軸梁の下面とは互いに面一に配されていることを特徴とする建物。
【請求項７】
請求項１乃至６の何れかに記載の建物であって、
前記Ｘ軸壁柱の前記壁幅方向の寸法と、前記Ｙ軸梁の前記梁幅とは互いに同寸であり、
前記Ｙ軸壁柱の前記壁幅方向の寸法と、前記Ｘ軸梁の前記梁幅とは互いに同寸であることを特徴とする建物。
【請求項８】
請求項１乃至７の何れかに記載の建物であって、
前記Ｘ軸壁柱は、前記建物の外周に沿って前記Ｘ軸方向に所定ピッチで間欠的に複数並んで設けられ、
前記Ｙ軸壁柱は、前記建物の外周に沿って前記Ｙ軸方向に所定ピッチで間欠的に複数並んで設けられ、
前記Ｙ軸梁は、前記複数の前記Ｘ軸壁柱に対応してそれぞれ前記Ｙ軸方向に沿って複数設けられ、
前記Ｘ軸梁は、前記複数の前記Ｙ軸壁柱に対応してそれぞれ前記Ｘ軸方向に沿って複数設けられ、
前記複数の前記Ｙ軸梁と前記複数の前記Ｘ軸梁とは、平面視格子状に接合されていることを特徴とする建物。
【請求項９】
請求項１乃至８の何れかに記載の建物であって、
剛接合された前記Ｘ軸梁と前記Ｙ軸梁とは互いに協働して、複数の升目状の空間を区画する平面視格子状の梁をなし、
前記升目状の空間には、照明ユニット或いは空調ユニットが配置されていることを特徴とする建物。
【請求項１０】
請求項１乃至９の何れかに記載の建物であって、
前記Ｘ軸壁柱及び前記Ｙ軸壁柱は前記建物の外周部を構成し、
前記建物の少なくとも一つの隅角部には、前記Ｘ軸壁柱及び前記Ｙ軸壁柱が設けられていないことを特徴とする建物。
【発明の詳細な説明】
【技術分野】
【０００１】
本発明は、壁及び柱として機能する壁柱を有した建物に関する。
【背景技術】
【０００２】
オフィスビル等の建物では、その利便性の観点から、図１Ａの斜視図のように各階が１フロアに亘って無柱空間（四側面が室内に露出した柱が無い空間のこと）であることが好まれる。但し、無柱空間にするためには、梁のロングスパン化に伴う強度確保の観点から、柱１１１や梁１２１の大断面化が必要となる。  
その場合、先ず、柱１１１の大断面化に起因して、図１Ｂの横断面図に示すように、各階の内壁面１９１から柱１１１の一部１１１ｐ（所謂柱型）が突出してデッドスペースを生じ、室内空間ＳＰｒの効率的利用が阻まれる虞がある。  
この点につき、参考になる技術として、特許文献１には、壁及び柱として機能する平板状の壁柱が開示されている。
【先行技術文献】
【特許文献】
【０００３】
【特許文献１】特開２００６−７０６７１号公報
【発明の概要】
【発明が解決しようとする課題】
【０００４】
そして、図２Ａの横断面図に示すように、当該壁柱１１を、上述の柱１１１に代えて建物の外周に沿って配置すれば、柱型１１１ｐの発生を防ぐことができるものと考えられる。
【０００５】
他方、梁１２１の大断面化の方法の一案としては、梁１２１の梁せいを大きくすることが挙げられるが、そうすると、図２Ｂの縦断面図に示すように、一般に梁幅よりも梁せいの方が大きい縦長形状の梁１２１の縦断面形状が、更に縦長になってしまう。そして、このような場合に、天井高さを確保しようとすると、階高を高くせざるを得ず、その結果、全体的に建物の高さが高くなって建設コストが上昇するという問題があった。
【０００６】
また、地域によっては法令や条例等で建物の高さ制限が課せられおり、そのような地域に建物を建てる際には、階高の増大分だけ建物の階数を減らさざるを得ず、延べ床面積が減少してしまうという問題があった。
【０００７】
本発明は、上記のような従来の問題に鑑みなされたものであって、その目的は、壁柱を有した建物において梁のロングスパン化を図る際に、階高の増大を防ぎながら梁の強度を確保することにある。
【課題を解決するための手段】
【０００８】
かかる目的を達成するために請求項１に示す発明は、
互いに直交するＸ軸方向とＹ軸方向とで規定される水平面を上面に有する床部と、壁及び柱として機能し、互いに直交する壁幅方向及び壁厚方向を有する平板状の壁柱と、を備えた建物であって、
前記壁幅方向を前記Ｘ軸方向に沿わせて配置されるＸ軸壁柱と、
前記壁幅方向を前記Ｙ軸方向に沿わせて配置されるＹ軸壁柱と、
前記Ｙ軸方向に間隔を隔てて配置される一対の前記Ｘ軸壁柱同士の間に架け渡されて接合されるＹ軸梁と、
前記Ｘ軸方向に間隔を隔てて配置される一対の前記Ｙ軸壁柱同士の間に架け渡されて接合されるＸ軸梁と、を備え、
前記Ｘ軸梁及び前記Ｙ軸梁の各小口断面形状は、その梁幅が梁せいよりも大きな扁平形状であるとともに、前記Ｘ軸梁と前記Ｙ軸梁とは剛接合されており、
前記Ｘ軸壁柱、前記Ｙ軸壁柱、前記Ｘ軸梁、及び前記Ｙ軸梁は、木造であることを特徴とする。
【０００９】
上記請求項１に示す発明によれば、Ｘ軸梁及びＹ軸梁は共に、梁幅の方が梁せいよりも大きな扁平形状(つまり横長形状)の梁である。そのため、梁幅を大きく設計することで梁の大断面化を達成することができて、つまり、梁せいを大きくせずに梁の強度確保を図れる。これにより、階高の増大を防ぎながら梁の強度確保が可能となる。  
また、上記の建物は、Ｘ軸梁及びＹ軸梁という互いに直交する２方向にそれぞれ梁を有し、これら梁同士は、互いに剛接合されている。よって、Ｘ軸梁は、架け渡されるＹ軸壁柱だけでなく、Ｙ軸梁を介してＸ軸壁柱にも支持され、同様にＹ軸梁は、架け渡されるＸ軸壁柱だけでなく、Ｘ軸梁を介してＹ軸壁柱にも支持されていることになる。つまり、Ｘ軸梁及びＹ軸梁は、それぞれ、Ｘ軸壁柱とＹ軸壁柱との両者から支持されており、これにより、各梁の下方撓みの抑制を図れて、このことも各梁の強度確保に大きく貢献する。
【００１０】
また、前記Ｘ軸壁柱及び前記Ｙ軸壁柱は、荷重を支持するための木製の荷重支持層と、前記荷重支持層の外側に該荷重支持層を取り囲むように設けられた燃え止まり層と、前記燃え止まり層の外側に該燃え止まり層を取り囲むように設けられた木製の燃えしろ層と、を有することとしてもよい。
【００１１】
また、前記Ｘ軸壁柱と前記Ｙ軸梁とは剛接合されており、
前記Ｙ軸壁柱と前記Ｘ軸梁とは剛接合されていることとしてもよい。
【００１２】
また、互いに直交するＸ軸方向とＹ軸方向とで規定される水平面を上面に有する床部と、壁及び柱として機能し、互いに直交する壁幅方向及び壁厚方向を有する平板状の壁柱と、を備えた建物であって、
前記壁幅方向を前記Ｘ軸方向に沿わせて配置されるＸ軸壁柱と、
前記壁幅方向を前記Ｙ軸方向に沿わせて配置されるＹ軸壁柱と、
前記Ｙ軸方向に間隔を隔てて配置される一対の前記Ｘ軸壁柱同士の間に架け渡されて接合されるＹ軸梁と、
前記Ｘ軸方向に間隔を隔てて配置される一対の前記Ｙ軸壁柱同士の間に架け渡されて接合されるＸ軸梁と、を備え、
前記Ｘ軸梁及び前記Ｙ軸梁の各小口断面形状は、その梁幅が梁せいよりも大きな扁平形状であるとともに、前記Ｘ軸梁と前記Ｙ軸梁とは剛接合されており、
前記建物は複数の階を有し、
前記Ｙ軸梁及び前記Ｘ軸梁は、前記建物の階毎にそれぞれ配されており、
前記Ｘ軸壁柱及び前記Ｙ軸壁柱は、それぞれ、前記建物の全階に亘って延在するような高さ寸法に形成されており、
すべての前記Ｘ軸壁柱は、前記建物のすべての階において前記Ｙ軸梁と剛接合されており、
すべての前記Ｙ軸壁柱は、前記建物のすべての階において前記Ｘ軸梁と剛接合されていることを特徴とする。
【００１３】
また、前記Ｘ軸梁及び前記Ｙ軸梁の上方には、前記Ｘ軸梁及び前記Ｙ軸梁との間に間隔を空けて二重床部が設けられ、
前記Ｘ軸梁及び前記Ｙ軸梁と前記二重床部との間には、前記建物用の設備機器を収容する空間が区画形成されていることとしてもよい。
【００１４】
また、前記Ｘ軸梁の梁せいと前記Ｙ軸梁の梁せいとは互いに同寸であり、
前記Ｘ軸梁の下面と前記Ｙ軸梁の下面とは互いに面一に配されていることとしてもよい。
【００１５】
また、前記Ｘ軸壁柱の前記壁幅方向の寸法と、前記Ｙ軸梁の前記梁幅とは互いに同寸であり、
前記Ｙ軸壁柱の前記壁幅方向の寸法と、前記Ｘ軸梁の前記梁幅とは互いに同寸であることとしてもよい。
【００１６】
また、前記Ｘ軸壁柱は、前記建物の外周に沿って前記Ｘ軸方向に所定ピッチで間欠的に複数並んで設けられ、
前記Ｙ軸壁柱は、前記建物の外周に沿って前記Ｙ軸方向に所定ピッチで間欠的に複数並んで設けられ、
前記Ｙ軸梁は、前記複数の前記Ｘ軸壁柱に対応してそれぞれ前記Ｙ軸方向に沿って複数設けられ、
前記Ｘ軸梁は、前記複数の前記Ｙ軸壁柱に対応してそれぞれ前記Ｘ軸方向に沿って複数設けられ、
前記複数の前記Ｙ軸梁と前記複数の前記Ｘ軸梁とは、平面視格子状に接合されていることとしてもよい。
【００１７】
また、
剛接合された前記Ｘ軸梁と前記Ｙ軸梁とは互いに協働して、複数の升目状の空間を区画する平面視格子状の梁をなし、
前記升目状の空間には、照明ユニット或いは空調ユニットが配置されていることとしてもよい。
【００１８】
また、前記Ｘ軸壁柱及び前記Ｙ軸壁柱は前記建物の外周部を構成し、
前記建物の少なくとも一つの隅角部には、前記Ｘ軸壁柱及び前記Ｙ軸壁柱が設けられていないことを特徴とする建物。
【発明の効果】
【００２０】
本発明によれば、壁柱を有した建物において梁のロングスパン化を図る際に、階高の増大を防ぎながら梁の強度を確保可能となる。
【図面の簡単な説明】
【００２１】
【図１】図１Ａは従来の建物の概略斜視図であり、図１Ｂは同横断面図である。
【図２】図２Ａは、壁柱１１を用いることにより柱型１１１ｐの発生を防いだ建物の横断面図であり、図２Ｂは、一般的な梁１２１の概略縦断面図である。
【図３】図３Ａは、本実施形態の建物１の概略横断面図であり、図３Ｂは同側面図であり、図３Ｃは、図３Ａ中のＣ−Ｃ断面図である。
【図４】本実施形態に係るＸ軸梁２１ｘ及びＹ軸梁２１ｙの概略縦断面図である。
【図５】図５Ａは、木造の壁柱１１ｘ，１１ｙの好ましい形態を示す概略横断面図であり、図５Ｂは、木造の梁２１ｘ，２１ｙの好ましい形態を示す概略縦断面図である。
【図６】木造の壁柱１１ｘ，１１ｙと基礎３との連結方法を示す概略縦断面図である。
【図７】建物１ｂの他の実施形態の概略横断面図である。
【発明を実施するための形態】
【００２２】
＝＝＝本実施形態＝＝＝
図３Ａ乃至図３Ｃは、本実施形態の建物１の概略図である。図３Ａは建物１の概略横断面図であり、図３Ｂは同側面図であり、図３Ｃは、図３Ａ中のＣ−Ｃ断面図である。なお、図３Ａは、図３Ｂ及び図３Ｃ中のＡ−Ａ断面図でもある。
【００２３】
図３Ｂに示すように、この建物１は、例えば複数階の一例としての四階建て事務所ビルであり、地面Ｇに埋設された鉄筋コンクリート製（以下、ＲＣ製と言う）の基礎３を有する。基礎３の上面３ａは概ね水平面に形成されているが、上面３ａの一部が水平面で無くても良い。以下では、当該水平面内において互いに直交する２方向のことを、「Ｘ軸方向」及び「Ｙ軸方向」と言う（図３Ａを参照）。
【００２４】
図３Ａに示すように、基礎３の上面３ａには、構築されるべき建物１の外周に沿って複数のＲＣ造の壁柱１１，１１…が立設されており、これら壁柱１１，１１…は、その内方に設けられる複数の梁２１，２１…に連結されて、当該梁２１，２１…と協働して建物１の構造躯体として機能する。この図３Ａの例では、これら複数の壁柱１１，１１…が周囲から囲むことで基礎３上に区画される空間は、柱が一本も無い無柱空間とされているが、場合によっては、柱を設けても良い。但し、無柱空間の方が好ましいのは言うまでもない。また、各壁柱１１，１１…は基礎３に剛接合されている。ここで、剛接合とは、外力を受けても接合状態が変化しない接合方式のことであり、これにより、曲げモーメントも速やかに伝達され、各壁柱１１の傾倒が有効に抑制される。かかる剛接合は、基礎３と壁柱１１との接合部の形成の際に、例えば基礎３及び壁柱１１の互いの鉄筋を接合部の位置まで延長させて互いにオーバーラップさせた状態で同位置にコンクリート打設して同接合部を形成することにより実現される。また、この例では、基礎３及び壁柱１１のどちらも、現場打ちコンクリートで形成されているが、壁柱１１については現場打ちコンクリートに限らず、プレキャストコンクリートパネルを用いても良い。これについては後述する。
【００２５】
建物１の外周の平面形状は、二つの短辺と二つの長辺とを有する略矩形状であり、各短辺はＸ軸方向に沿っており、各長辺はＹ軸方向に沿っている。そして、前者のＸ軸方向に沿った各短辺には、それぞれ、複数の一例としての二つの壁柱１１，１１が、壁幅方向をＸ軸方向に沿わせつつＸ軸方向に間欠的に所定ピッチで配置されており、また、後者のＹ軸方向に沿った各長辺には、それぞれ、複数の一例としての三つの壁柱１１，１１，１１が、壁幅方向をＹ軸方向に沿わせつつＹ軸方向に間欠的に所定ピッチで配置されている。以下、Ｘ軸方向に沿う各短辺のことを「Ｘ軸辺」と言い、Ｙ軸方向に沿う各長辺のことを「Ｙ軸辺」と言う。また、壁幅方向をＸ軸方向に沿わせて配置された壁柱１１のことを「Ｘ軸壁柱１１ｘ」と言い、壁幅方向をＹ軸方向に沿わせて配置された壁柱１１のことを「Ｙ軸壁柱１１ｙ」と言う。
【００２６】
ちなみに、本実施形態では、Ｘ軸壁柱１１ｘ及びＹ軸壁柱１１ｙのどちらにあっても、壁厚方向の断面二次モーメントよりも壁幅方向の断面二次モーメントの方が大きくなるように設定されている。つまり、Ｘ軸壁柱１１ｘについてはＹ軸方向よりもＸ軸方向の断面二次モーメントの方が大きく設定され、且つＹ軸壁柱１１ｙについてはＸ軸方向よりもＹ軸方向の断面二次モーメントの方が大きく設定されている。
【００２７】
これら何れの壁柱１１ｘ，１１ｙ…も、図３Ｂに示すように高さ方向の全階に亘って延在するような長さ（以下、壁高とも言う）で形成されており、この例では、建物１が四階建てであるので、各壁柱１１ｘ，１１ｙ…は、略四階建てに相当する壁高を有している。一方、図３Ａに示すように、各壁柱１１ｘ，１１ｙ…の壁厚方向の寸法たる壁厚は、当然ながら壁幅方向の寸法たる壁幅よりも小さく設定されている。
【００２８】
また、同図３Ａに示すように、一方のＸ軸辺に配置された各Ｘ軸壁柱１１ｘ，１１ｘと、もう一方のＸ軸辺に配置された各Ｘ軸壁柱１１ｘ，１１ｘとは、互いに対応するＸ軸壁柱１１ｘ，１１ｘ同士のＸ軸方向の位置が揃った状態でＸ軸方向に沿って整列されている。よって、互いに対応する一対のＸ軸壁柱１１ｘ，１１ｘ同士が、Ｙ軸方向の間隔を空けつつ互いに対向して配されている。同様に、一方のＹ軸辺に配置された各Ｙ軸壁柱１１ｙ，１１ｙ，１１ｙと、もう一方のＹ軸辺に配置された各Ｙ軸壁柱１１ｙ，１１ｙ，１１ｙとは、互いに対応するＹ軸壁柱１１ｙ，１１ｙ同士のＹ軸方向の位置が揃った状態でＹ軸方向に沿って整列されている。よって、互いに対応する一対のＹ軸壁柱１１ｙ，１１ｙ同士が、Ｘ軸方向の間隔を空けつつ互いに対向して配されている。
【００２９】
そして、互いに対向する一対のＸ軸壁柱１１ｘ，１１ｘ同士の間には、Ｙ軸梁２１ｙとして、Ｙ軸方向に沿った真っ直ぐな梁２１ｙが架け渡されており、同様に、互いに対向する一対のＹ軸壁柱１１ｙ，１１ｙ同士の間には、Ｘ軸梁２１ｘとして、Ｘ軸方向に沿った真っ直ぐな梁２１ｘが架け渡されている。ここで、Ｘ軸梁２１ｘとＹ軸梁２１ｙとの高さ方向の設置位置は揃っており、これにより、Ｘ軸梁２１ｘとＹ軸梁２１ｙとは、互いが交差する交差部位において剛接合されている。よって、Ｘ軸梁２１ｘは、架け渡されるＹ軸壁柱１１ｙだけでなく、Ｙ軸梁２１ｙを介してＸ軸壁柱１１ｘにも支持され、同様にＹ軸梁２１ｙは、架け渡されるＸ軸壁柱１１ｘだけでなく、Ｘ軸梁２１ｘを介してＹ軸壁柱１１ｙにも支持されている。つまり、Ｘ軸梁２１ｘ及びＹ軸梁２１ｙは、それぞれ、Ｘ軸壁柱１１ｘとＹ軸壁柱１１ｙとの両者から支持されており、その結果として、各梁２１ｘ，２１ｙの下方撓みの抑制を図れ、全体として梁２１ｘ，２１ｙの強度確保を図れる。また、これら剛接合されたＸ軸梁２１ｘ，２１ｘ，２１ｘとＹ軸梁２１ｙ，２１ｙとは、全体として平面視格子状に組まれた格子梁Ｇ２１なっており、このことも下方撓みの抑制に寄与する。
【００３０】
かかる格子梁Ｇ２１は、階毎に、対応する階の床面レベルよりも若干低い位置に配されており、当該位置にて、Ｘ軸梁２１ｘの梁端がＹ軸壁柱１１ｙに剛接合され、Ｙ軸梁２１ｙの梁端がＸ軸壁柱１１ｘに剛接合されている。そして、当該剛接合によりＸ軸梁２１ｘからＹ軸壁柱１１ｙへの曲げモーメントの伝達が円滑になされ、同じくＹ軸梁２１ｙからＸ軸壁柱１１ｘへの曲げモーメントの伝達も円滑になされるので、格子梁Ｇ２１の下方撓みを有効に抑制可能となる。
【００３１】
かかるＸ軸梁２１ｘ及びＹ軸梁２１ｙは、例えば現場打ちコンクリートで形成される。そして、この場合には、壁柱１１ｘ（１１ｙ）と梁２１ｙ（２１ｘ）との剛接合は、壁柱１１ｘ（１１ｙ）と梁２１ｙ（２１ｘ）との接合部の形成の際に、壁柱１１ｘ（１１ｙ）及び梁２１ｙ（２１ｘ）の互いの鉄筋を接合部の位置まで延長させて互いにオーバーラップさせた状態で同位置にコンクリート打設して同接合部を形成することにより実現される。また、Ｘ軸梁２１ｘとＹ軸梁２１ｙとの剛接合も、それぞれ、Ｘ軸梁２１ｘとＹ軸梁２１ｙとの接合部の形成の際に、Ｘ軸梁２１ｘ及びＹ軸梁２１ｙの互いの鉄筋を接合部の位置まで延長させて互いにオーバーラップさせた状態で同位置にコンクリート打設して同接合部を形成することにより実現される。但し、Ｘ軸梁２１ｘ及びＹ軸梁２１ｙの形成は、現場打ちコンクリートに限るものではなく、プレキャストコンクリートパネルを用いても良く、これについては後述する。
【００３２】
かかるＸ軸梁２１ｘ及びＹ軸梁２１ｙの各小口断面形状は、図４の縦断面図に示すように、梁幅が梁せいよりも大きな扁平矩形形状（横長矩形形状）である。これにより、梁幅を大きく設計することで梁２１ｘ，２１ｙの大断面化を達成することができて、つまり、梁せいを大きくせずに梁２１ｘ，２１ｙの強度確保を図れる。これにより、階高の増大を防ぎながら梁２１ｘ，２１ｙの強度を確保可能となる。
【００３３】
また、この例では、Ｘ軸梁２１ｘの梁せいとＹ軸梁２１ｙの梁せいとは互いに同寸に設定されており、Ｘ軸梁２１ｘの下面とＹ軸梁２１ｙの下面とは互いに面一に配されている。これにより、梁下の室内空間の高さ寸法を、床面の略全面に亘って大きく確保できて、結果、階高の増大を防止可能となる。但し、必ずしも同寸にしなくても良く、一方の梁２１ｘ（２１ｙ）の梁せいをもう一方の梁２１ｙ（２１ｘ）の梁せいよりも若干大きくても良い。例えば、梁２１の下方撓み抑制を鑑みた場合には、Ｘ軸梁２１ｘよりも梁長の長いＹ軸梁２１ｙの方の梁せいを、Ｘ軸梁２１ｘの梁せいより大きくしても良い。
【００３４】
更に、この例では、図３Ａ及び図３Ｂに示すように、Ｘ軸方向に隣り合うＸ軸壁柱１１ｘ，１１ｘ同士の間の間隔Ｄ、及びＹ軸方向に隣り合うＹ軸壁柱１１ｙ，１１ｙ同士の間の間隔Ｄには、それぞれ窓枠３１，３１…が階毎又は複数階に跨って設置されている。そして、これにより、いわゆる縦連窓様式（単数又は複数の窓が鉛直方向に連なって並んだ配置様式）の開放感のある建物１が実現されている。なお、一階に位置する間隔Ｄに対しては、ドアを設けても良い。また、これら間隔Ｄ，Ｄ…に配置されるべき全部の窓枠３１又は一部の窓枠３１に代えて、同間隔Ｄにガラス制振壁（不図示）を介装しても良く、このようにすれば、窓としての機能以外に、隣り合う壁柱１１，１１同士の間の相対変位を抑制する減衰効果も奏し得て、制震性の優れた建物１となる。ガラス制振壁の一例としては、例えば、上記の間隔Ｄに介装される板ガラスと、同間隔Ｄを隔てて互いに隣り合う壁柱１１，１１同士の各対向面にそれぞれ設けられて、板ガラスの自重を支持する粘弾性体と、を有した構成を挙げることができる。
【００３５】
また、Ｘ軸壁柱１１ｘ，１１ｘ同士の間の間隔Ｄに適宜な鋼材等からなる連結部材（不図示）を介装することにより、Ｘ軸方向に隣り合うＸ軸壁柱１１ｘ，１１ｘ同士を連結して相対変位を規制しても良く、また同様に、Ｙ軸壁柱１１ｙ，１１ｙ同士の間の間隔Ｄに適宜な鋼材等からなる連結部材（不図示）を介装することにより、Ｙ軸方向に隣り合うＹ軸壁柱１１ｙ，１１ｙ同士を連結して相対変位を規制しても良い。このようにすれば、建物１の強度や水平剛性を更に高めることができる。
【００３６】
更には、これらの間隔Ｄ，Ｄ…に、上述の連結部材に代えてオイルダンパー等の制振部材（不図示）を介装しても良い。これによれば、壁柱１１，１１同士が相対変位をした際に、当該相対変位に係る振動エネルギーを制振部材が吸収し、これにより壁柱１１，１１の変位を抑制することができる。なお、制振部材としては、上記のオイルダンパー以外に、摩擦ダンパーや粘性ダンパー、粘弾性ダンパー、鋼材ダンパー等を適用可能である。
【００３７】
また、建物１の外周の四つの隅角部の少なくとも一つには、Ｘ軸壁柱１１ｘ及びＹ軸壁柱１１ｙを配置しないのが望ましい。例えば、図３Ａの例では、四つの全ての隅角部にＸ軸壁柱１１ｘ及びＹ軸壁柱１１ｙが配置されていない。そして、このようにすれば、隅角部での視界が良好となり、開放感のある建物１が実現される。この隅角部の空間、つまり隅角部の近傍に位置するＸ軸壁柱１１ｘとＹ軸壁柱１１ｙとの間の間隔Ｄａには、例えば横断面形状がＬ字状の窓枠３１ａが配され、同窓枠３１ａは、隅角部の近傍のＸ軸壁柱１１ｘ及びＹ軸壁柱１１ｙにそれぞれ固定されている。なお、この間隔Ｄａに、上述のガラス制振壁や連結部材、制振部材等を設けても良い。
【００３８】
また、前述のように各Ｘ軸辺及び各Ｙ軸辺がそれぞれ建物１の外周をなす場合に、望ましくは、図３Ａに示すようにＸ軸辺に隣接する位置にはＸ軸梁２１ｘを設けず、同様に、Ｙ軸辺に隣接する位置にはＹ軸梁２１ｙを設けないようにすると良い。このようにすれば、建物１の外方からＸ軸梁２１ｘ及びＹ軸梁２１ｙが見え難くなって、建物１の外観の意匠性が良好になる。また、このＸ軸辺及びＹ軸辺に隣接する空間を、カーテンボックスやブラインドボックス等の屋内装備品の設置スペースとして利用しても良い。
【００３９】
また、望ましくは、図３Ａに示すように、Ｘ軸壁柱１１ｘの壁幅方向の寸法たる壁幅と、Ｙ軸梁２１ｙの梁幅とを互いに同寸に設計し、且つ、Ｙ軸壁柱１１ｙの壁幅方向の寸法たる壁幅と、Ｘ軸梁２１ｘの梁幅とを互いに同寸に設計すると良い。このようにすれば、現場打ちコンクリートによってＸ軸壁柱１１ｘとＹ軸梁２１ｙとの接合部やＹ軸壁柱１１ｙとＸ軸梁２１ｘとの接合部を形成する際に、型枠を配置し易くなる。また、この施工性の向上に伴って施工精度も向上する。
【００４０】
ところで、図３Ｃに示すように、二階以上の各階の床部４１，４１…は、それぞれ対応する格子梁Ｇ２１（Ｘ軸梁２１ｘ，２１ｘ，２１ｘ及びＹ軸梁２１ｙ，２１ｙ）の上にそれぞれ設けられ、そして、各床部４１，４１…は、その上面に水平面を有している。かかる床部４１にあっては、その下面を、格子梁Ｇ２１の上面に当接させて略一体化しても良いが、場合によっては、図３Ｃに示すようにフリーアクセスフロア（ＯＡフロア）の如き二重床構造を採用しても良い。二重床構造は、例えば、格子梁Ｇ２１の上面に離散的に立設される複数の支柱（不図示）と、これら支柱に支持されつつ格子梁Ｇ２１の上面との間に間隔を空けて配されて二重床部４１となる複数のパネル部材と、を有する。そして、かかる二重床構造によれば、格子梁Ｇ２１とパネル部材との間に区画された空間ＳＰ４１を、電気配線、ガスや水道の配管、空調ダクト等の各種設備機器の収容スペースＳＰ４１として用いることができる。
【００４１】
また、図３Ａに示す格子梁Ｇ２１の各升目状の空間ＳＰ２１，ＳＰ２１…は、図３Ｃの照明ユニット５１や空調ユニット５２の設置スペースに供される。これにより、これらユニット５１，５２の下面高さを、格子梁Ｇ２１をなすＸ軸梁２１ｘ，２１ｘ，２１ｘ及びＹ軸梁２１ｙ，２１ｙの下面高さと概ね揃えて略面一にすることができて、その結果、これらユニット５１，５２の配置下においても、室内空間の天井高さを略全面に亘って高く維持可能となる。ちなみに、空調ユニット５１は、空気の吹き出し口と吸い込み口とを有し、そして、これら吹き出し口及び吸い込み口は、空調ダクト（不図示）に接続されて空調に供されるが、かかる空調ダクトは例えば上述の二重床構造の設備機器の収容スペースＳＰ４１に収容されている。
【００４２】
また、この建物１を本棟１とした場合に、図３Ａに示すように、この本棟１の隣に別棟１ａを設けても良い。この別棟１ａは、例えば内部に階段やエレベータ、トイレなどを有した建物１ａである。そして、階毎に本棟１の床部４１と別棟１ａの床部４１ａとが渡り廊下６１で連結されており、これにより人の行き来が可能に構成されている。図３Ａの例では、本棟１のＹ軸方向の隣に別棟１ａが建てられているので、別棟１ａから延長した渡り廊下６１は、本棟１におけるＸ軸方向に隣り合うＸ軸壁柱１１ｘ，１１ｘ同士の間の間隔Ｄに架け渡されている。つまり、当該間隔Ｄを、渡り廊下６１等の連絡通路部材の設置スペースとして利用しても良い。また、本棟１と別棟１ａとの間をオイルダンパー等の制振部材（不図示）で連結することにより、いわゆる連結制振を行っても良い。すなわち、水平振動の固有周期を本棟１と別棟１ａとの間で互いに異ならせて設定すれば、本棟１及び別棟１ａが水平変位した際に、互いの間に相対変位が生じるので、当該相対変位を制振部材に入力すれば、相対変位の振動エネルギーが熱エネルギー等に変換されて相対変位が減衰され、これにより本棟１及び別棟１ａの水平変位が抑制される。
【００４３】
ところで、上述の実施形態では、建物１の基礎３だけでなく、Ｘ軸壁柱１１ｘ、Ｙ軸壁柱１１ｙ、Ｘ軸梁２１ｘ、及びＹ軸梁２１ｙの何れも現場打ちコンクリートで形成していたが、何等これに限るものではない。例えば、壁柱１１ｘ，１１ｙや梁２１ｘ，２１ｙについてはプレキャストコンクリートパネル（以下、ＰＣパネルと言う）を用いて形成しても良い。
【００４４】
その場合には、Ｘ軸壁柱１１ｘ、Ｙ軸壁柱１１ｙ、Ｘ軸梁２１ｘ、及びＹ軸梁２１ｙは、それぞれ複数のＰＣパネルに分割されているのが好ましい。分割の単位は、前者の壁柱１１ｘ，１１ｙであれば、例えば階毎或いは複数階毎であり、また、後者の梁２１ｘ，２１ｙであれば、例えば図３Ａの一つの升目状の空間ＳＰ２１に隣接する部分毎である。
【００４５】
ＰＣパネル同士の連結は、例えば次のようにして行われる。先ず、ＰＣパネルにおいて、連結時に突き合わせられるべき面（以下、突き合わせ面と言う）には、ＰＣパネルの内部に配筋された複数の鉄筋の端部が突出しているとともに、同突き合わせ面には、突き合わせられる相手側のＰＣパネルの突き合わせ面から突出する複数の鉄筋の端部を挿入するための継ぎ手用鞘菅が埋設されている。なお、継ぎ手用鞘菅は、当該鞘菅が埋設されている方のＰＣパネル内の鉄筋に連結されている。そして、連結すべきＰＣパネル同士を各突き合わせ面にて突き合わせる際に、互いに自身の突き合わせ面の継ぎ手用鞘菅に相手の鉄筋の端部を差し込みながら、モルタル等を接着材として使用して突き合わせ面同士を接合し、これによりＰＣパネル同士は剛接合される。  
なお、Ｘ軸壁柱１１ｘとＹ軸梁２１ｙとの剛接合、Ｙ軸壁柱１１ｙとＸ軸梁２１ｘとの剛接合も、上述と同様に、鉄筋の継ぎ手用鞘菅への挿入と接着材とを組み合わせた手法を用いてなされ、また、基礎３とＸ軸壁柱１１ｘとの剛接合、及び基礎３とＹ軸壁柱１１ｙとの剛接合も、上述と同様の手法を用いてなされる。
【００４６】
ところで、上述の実施形態では、建物１をＲＣ造で形成していたが、何等これに限るものではない。例えばＸ軸壁柱１１ｘ、Ｙ軸壁柱１１ｙ、Ｘ軸梁２１ｘ、及びＹ軸梁２１ｙは木造でも良い。但し、基礎３はＲＣ造である。
【００４７】
ここで望ましくは、図５Ａの横断面図に示すように、Ｘ軸壁柱１１ｘ及びＹ軸壁柱１１ｙを、柱心側から外側に向かうに従って複数の層を有した層構造で構成し、そして、当該層として、荷重を支持するための木製の荷重支持層Ｌ１１ａと、荷重支持層Ｌ１１ａの外側に荷重支持層Ｌ１１ａを取り囲むように設けられた燃え止まり層Ｌ１１ｂ（１時間耐火で約３ｃｍ）と、燃え止まり層Ｌ１１ｂの外側に燃え止まり層Ｌ１１ｂを取り囲むように設けられた木製の燃えしろ層Ｌ１１ｃ（１時間耐火で約５〜６ｃｍ）と、を有していると良い。
【００４８】
また、同様に、Ｘ軸梁２１ｘ及びＹ軸梁２１ｙも、図５Ｂの縦断面図に示すように、梁心側から外側に向かうに従って複数の層を有した層構造で構成し、そして、当該層として、荷重を支持するための木製の荷重支持層Ｌ２１ａと、荷重支持層Ｌ２１ａの外側に荷重支持層Ｌ２１ａを取り囲むように設けられた燃え止まり層Ｌ２１ｂと、燃え止まり層Ｌ２１ｂの外側に燃え止まり層Ｌ２１ｂを取り囲むように設けられた木製の燃えしろ層Ｌ２１ｃと、を有していると良い。
【００４９】
そして、このような層構造によれば、Ｘ軸壁柱１１ｘ、Ｙ軸壁柱１１ｙ、Ｘ軸梁２１ｘ、及びＹ軸梁２１ｙの何れについても、火が荷重支持層Ｌ１１ａ，Ｌ２１ａに到達する前に燃え止まり層Ｌ１１ｂ，Ｌ２１ｂで燃焼が止まり、これにより、荷重支持層Ｌ１１ａ，Ｌ２１ａへの延焼は防止されて、建物の構造躯体の健全性は維持される。
【００５０】
荷重支持層Ｌ１１ａ，Ｌ２１ａ及び燃えしろ層Ｌ１１ｃ，Ｌ２１ｃに用いられる木材としては、米松、唐松、檜、杉、あすなろなどの木材（以下、一般木材と言う）が挙げられる。  
また、燃え止まり層Ｌ１１ｂ，Ｌ２１ｂとしては、例えば、上記一般木材より熱容量（熱吸収量）が大きな高熱容量材、不燃材にしてかつ断熱性を有する断熱材、難燃処理木材または上記一般木材より熱慣性が高い樹種等の異種材が用いられる。ここで高熱容量材としては、例えば、モルタル、石材、ガラス、繊維補強セメント等の無機質材料、各種の金属材料の他、中空矩形断面の金属製のパイプ内に無機材料、液体金属、水、無機水和塩、消石灰等の蓄熱材料を充填して一体化したもの等が挙げられる。また、不燃材にしてかつ断熱性を有する断熱材としては、例えば、珪酸カルシウム板、ロックウール、グラスウール等が挙げられる。また、上記一般木材より熱慣性が高い木材としては、セランガンバツ、ジャラ、ボンゴシ等が挙げられる。
【００５１】
なお、当該木造の場合にあっても、Ｘ軸壁柱１１ｘ、Ｙ軸壁柱１１ｙ、Ｘ軸梁２１ｘ、及びＹ軸梁２１ｙは、前述のＰＣパネルと同様の単位で分割されていても良い。そして、かかるパネル同士の連結は、例えば、連結時に突き合わされるべき各突き合わせ面に形成された凹部に、鉄板や棒鋼等の差物をパネル同士に跨るように差し込みながら、木工用ボンド等の適宜な接着材を併用して突き合わせ面同士を接合することでなされ、これにより、パネル同士は剛接合される。なお、Ｘ軸壁柱１１ｘとＹ軸梁２１ｙとの剛接合、Ｙ軸壁柱１１ｙとＸ軸梁２１ｘとの剛接合も、上述と同様の差物と接着材とを組み合わせた手法を用いてなされる。
【００５２】
但し、上述のように基礎３はＲＣ造であるため、基礎３とＸ軸壁柱１１ｘとの剛接合、及び基礎３とＹ軸壁柱１１ｙとの剛接合については、図６の縦断面図に示すように、例えば基礎３と壁柱１１ｘ，１１ｙとに跨って固定される金物７１を用いて行われる。金物７１は、水平板部７１ａと鉛直板部７１ｂとを一体に有する縦断面Ｌ字状の鋼製部材７１であり、同鋼製部材７１の水平板部７１ａを、基礎３の上面３ａに当接してアンカーボルト７３などの締結部材７３で同上面に固定し、鉛直板部７１ｂを、壁柱１１ｘ，１１ｙの鉛直壁面１１ｂに当接させて同締結部材７３で同鉛直面１１ｂに固定する。そして、かかる鋼製部材７１を、壁柱１１ｘ，１１ｙの両側の鉛直壁面１１ｂ，１１ｂに対してそれぞれ設けることにより、基礎３と壁柱１１ｘ，１１ｙとの剛接合が実現される。
【００５３】
ちなみに、上述のパネル同士の連結手法、つまり差物と接着剤とを用いる連結手法は、前述のＰＣパネルの連結に適用することもできる。
【００５４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【００５５】
上述の実施形態では、建物１の外周の位置たるＸ軸辺及びＹ軸辺に、それぞれＸ軸壁柱１１ｘ及びＹ軸壁柱１１ｙを配置し、これにより、これらＸ軸壁柱１１ｘ及びＹ軸壁柱１１ｙは、建物１の外周部を構成していたが、何等これに限るものではない。例えば、図７の横断面図に示すように、Ｘ軸辺及びＹ軸辺には、板ガラス等の非構造部材８１を配置してこれら非構造部材８１を建物１ｂの外周部とし、これら非構造部材８１によって囲まれる平面視矩形の空間内に、非構造部材８１と間隔を隔てて、Ｘ軸壁柱１１ｘ及びＹ軸壁柱１１ｙを配置するようにしても良い。
【００５６】
上述の実施形態では、Ｘ軸壁柱１１ｘとＹ軸梁２１ｙとの接合、及びＹ軸壁柱１１ｙとＸ軸梁２１ｘとの接合を剛接合としていたが、何等これに限るものではなく、ピン接合でもよい。なお、ピン接合とは、連結位置での相対回転を許容しつつ、これ以外の相対移動を不能に規制する接合構造のことである。
【００５７】
上述の実施形態では、図５Ａに示すように、木造のＸ軸壁柱１１ｘ及びＹ軸壁柱１１ｙとして、荷重支持層Ｌ１１ａの壁厚方向の両面に、それぞれ燃え止まり層Ｌ１１ｂ，Ｌ１１ｂと、燃えしろ層Ｌ１１ｃ，Ｌ１１ｃとを有した５層構造の壁柱を例示したが、何等これに限るものではない。例えば、荷重支持層Ｌ１１ａの壁厚方向の片面にのみ燃え止まり層Ｌ１１ｂ及び燃えしろ層Ｌ１１ｃを有するようにしても良い。なお、その場合には、荷重支持層Ｌ１１ａの両面のうちで、これら燃え止まり層Ｌ１１ｂ及び燃えしろ層Ｌ１１が設けられない方の面を、ケイ酸カルシウム板等の耐火材で被覆しておくのが望ましい。
【００５８】
上述の実施形態では、図５Ｂに示すように、木造のＸ軸梁２１ｘ及びＹ軸梁２１ｙとして、荷重支持層Ｌ２１ａの上面及び下面の両方に、それぞれ燃え止まり層Ｌ２１ｂ，Ｌ２１ｂと、燃えしろ層Ｌ２１ｃ，Ｌ２１ｃと、を有した５層構造の梁を例示したが、何等これに限るものではない。例えば、荷重支持層Ｌ２１ａの下面及び上面のうちのどちらか一方の面にのみ燃え止まり層Ｌ２１ｂ及び燃えしろ層Ｌ２１ｃを有するようにしても良い。なお、その場合にも、荷重支持層Ｌ２１ａの上面及び下面のうちで、これら燃え止まり層Ｌ２１ｂ及び燃えしろ層Ｌ２１が設けられない方の面を、ケイ酸カルシウム板等の耐火材で被覆しておくのが望ましい。
【００５９】
上述の実施形態では、格子梁Ｇ２１の一例として、図３Ａに示すように、複数の一例としての三本のＸ軸梁２１ｘ，２１ｘ，２１ｘと、同じく複数の一例としての二本のＹ軸梁２１ｙ，２１ｙとを有した構成を示したが、何等これに限るものではなく、Ｘ軸梁２１ｘ及びＹ軸梁２１ｙはそれぞれ単数でも良い。その場合には、Ｘ軸梁２１ｘが架け渡されるべきＹ軸壁柱１１ｙは、各Ｙ軸辺に一つずつ設けられ、またＹ軸梁２１ｙが架け渡されるべきＸ軸壁柱１１ｘは、各Ｘ軸辺に一つずつ設けられることになる。そして、このとき、Ｙ軸壁柱１１ｙを各Ｙ軸辺の中央に配置し、Ｘ軸壁柱１１ｘを各Ｘ軸辺の中央に配置するようにすれば、Ｘ軸梁２１ｘ及びＹ軸梁２１ｙは互いに協働して、平面視十文字状の梁をなすようになるが、かかる十文字状の梁も、上述の格子梁Ｇ２１の一例に含まれるものである。なお、この場合には、建物１の四つの隅角部には、十文字状の梁によりそれぞれ升目状の空間ＳＰ２１，ＳＰ２１…が区画されるが、かかる升目状の空間ＳＰ２１に対して前述の照明ユニット５１や空調ユニット５２を収容しても良いのは言うまでもない。
【符号の説明】
【００６０】
１  建物（本棟）、１ａ  別棟、１ｂ  建物、
３  基礎、３ａ  上面、
１１  壁柱、１１ｂ  鉛直壁面、１１ｘ  Ｘ軸壁柱、１１ｙ  Ｙ軸壁柱、
２１  梁、２１ｘ  Ｘ軸梁、２１ｙ  Ｙ軸梁、
２１  格子梁、
３１  窓枠、３１ａ  窓枠、
４１  床部、４１ａ  床部、
５１  照明ユニット、５２  空調ユニット、
６１  渡り廊下、
７１  金物（鋼製部材）、７１ａ  水平板部、７１ｂ  鉛直板部、７３  締結部材、
８１  非構造部材
Ｌ１１ａ  荷重支持層、Ｌ１１ｂ  燃え止まり層、Ｌ１１ｃ  燃えしろ層、
Ｌ２１ａ  荷重支持層、Ｌ２１ｂ  燃え止まり層、Ｌ２１ｃ  燃えしろ層、
ＳＰ２１  升目状の空間、ＳＰ４１  収容スペース（空間）、
Ｇ  地面、
【図２】
0005942409.tif 000002
【図４】
0005942409.tif 000003
【図５】
0005942409.tif 000004
【図６】
0005942409.tif 000005
【図１】
0005942409.tif 000006
【図３】
0005942409.tif 000007
【図７】
0005942409.tif 000008